【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
無線通信のための方法において、
複数のサブフレームに関するビットマップを受信する段階と、
前記ビットマップに基づいて第１形式の物理的下向きリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタリングするか、または第２形式のＰＤＣＣＨをモニタリングするかを決定する段階であって、前記第１形式のＰＤＣＣＨと前記第２形式のＰＤＣＣＨとは、ユーザ装置（ＵＥ：ｕｓｅｒ  ｅｑｕｉｐｍｅｎｔ）専用検索空間に関連される前記決定段階と、
前記決定によって下向きリンク制御情報（ＤＣＩ：ｄｏｗｎｌｉｎｋ  ｃｏｎｔｒｏｌ  ｉｎｆｏｒｍａｔｉｏｎ）を得るため、前記第１形式のＰＤＣＣＨまたは前記第２形式のＰＤＣＣＨをモニタリングする段階と、を含み、
前記ビットマップのビットは、ＵＥが前記複数のサブフレームのうち、前記ビットに対応するサブフレームで前記第１形式のＰＤＣＣＨをモニタリングするか、または前記第２形式のＰＤＣＣＨをモニタリングするかを示す、無線通信のための方法。
【請求項２】
前記ビットマップは、上位階層シグナリングを通じて受信される、請求項１に記載の無線通信のための方法。
【請求項３】
前記第１形式のＰＤＣＣＨから得たＤＣＩは、前記ＵＥに専用制御情報を含む、請求項１に記載の無線通信のための方法。
【請求項４】
前記第１形式のＰＤＣＣＨは、向上したＰＤＣＣＨ（ｅＰＤＣＣＨ）であり、前記第２形式のＰＤＣＣＨは、既存のＰＤＣＣＨである、請求項１に記載の無線通信のための方法。
【請求項５】
前記第１形式のＰＤＣＣＨは、前記サブフレームで動作帯域幅のサブセットと前記サブフレームの開始からあらかじめ定められた数のシンボル後に始まる前記サブフレームのすべてのシンボルとを通じて伝送され、前記第２形式のＰＤＣＣＨは、前記サブフレームで前記動作帯域幅と前記サブフレームの開始から始まる前記サブフレームの前記あらかじめ決められた数のシンボルとを通じて伝送される、請求項１に記載の無線通信のための方法。
【請求項６】
前記第１形式のＰＤＣＣＨは、前記ビットマップによって指示される一つ以上のサブフレームでモニタリングされ、前記第２形式のＰＤＣＣＨは、前記ビットマップによって指示されていない残りのサブフレームでモニタリングされる、請求項１に記載の無線通信のための方法。
【請求項７】
無線通信のための方法において、
複数のサブフレームに関するビットマップを伝送する段階と、
前記ビットマップに基づいて物理的下向きリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）上に下向きリンク制御情報（ＤＣＩ：ｄｏｗｎｌｉｎｋ  ｃｏｎｔｒｏｌ  ｉｎｆｏｒｍａｔｉｏｎ）を伝送する段階と、を含み、
ユーザ装置（ＵＥ：ｕｓｅｒ  ｅｑｕｉｐｍｅｎｔ）は、前記ビットマップに基づいて第１形式のＰＤＣＣＨをモニタリングするか、または第２形式のＰＤＣＣＨをモニタリングするかを決定し、前記第１形式のＰＤＣＣＨ及び前記第２形式のＰＤＣＣＨは、ＵＥ専用検索空間に関連され、
前記ビットマップのビットは、前記ＵＥが前記複数のサブフレームのうち、前記ビットに対応するサブフレームで前記第１形式のＰＤＣＣＨをモニタリングするか、または前記第２形式のＰＤＣＣＨをモニタリングするかを示す、無線通信のための方法。
【請求項８】
前記ビットマップは、上位階層シグナリングを通じて伝送される、請求項７に記載の無線通信のための方法。
【請求項９】
前記ＤＣＩは、前記第１形式のＰＤＣＣＨ上に伝送される前記ＵＥに専用制御情報を含む、請求項７に記載の無線通信のための方法。
【請求項１０】
前記第１形式のＰＤＣＣＨは、向上したＰＤＣＣＨ（ｅＰＤＣＣＨ）であり、前記第２形式のＰＤＣＣＨは、既存のＰＤＣＣＨである、請求項７に記載の無線通信のための方法。
【請求項１１】
前記第１形式のＰＤＣＣＨは、前記サブフレームで動作帯域幅のサブセットと前記サブフレームの開始からあらかじめ定められた数のシンボル後に始まる前記サブフレームのすべてのシンボルとを通じて伝送され、前記第２形式のＰＤＣＣＨは、前記サブフレームで前記動作帯域幅と前記サブフレームの開始から始まる前記サブフレームの前記あらかじめ決められた数のシンボルとを通じて伝送される、請求項７に記載の無線通信のための方法。
【請求項１２】
前記第１形式のＰＤＣＣＨは、前記ビットマップによって指示される一つ以上のサブフレームで前記ＵＥによってモニタリングされ、前記第２形式のＰＤＣＣＨは、前記ビットマップによって指示されていない残りのサブフレームで前記ＵＥによってモニタリングされる、請求項７に記載の無線通信のための方法。
【請求項１３】
無線通信のためのユーザ装置（ＵＥ：ｕｓｅｒ  ｅｑｕｉｐｍｅｎｔ）において、
基地局に信号を伝送し、前記基地局から信号を受信する送受信部と、
前記送受信部が複数のサブフレームに関するビットマップを受信することを制御し、前記ビットマップに基づいて第１形式の物理的下向きリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタリングするか、または第２形式のＰＤＣＣＨをモニタリングするかを決定することを制御し、前記第１形式のＰＤＣＣＨと前記第２形式のＰＤＣＣＨとは、ＵＥ専用検索空間に関連され、前記決定によって下向きリンク制御情報（ＤＣＩ：ｄｏｗｎｌｉｎｋ  ｃｏｎｔｒｏｌ  ｉｎｆｏｒｍａｔｉｏｎ）を得るため、前記第１形式のＰＤＣＣＨまたは前記第２形式のＰＤＣＣＨをモニタリングすることを制御するように構成された制御部と、を含み、
前記ビットマップのビットは、前記ＵＥが前記複数のサブフレームのうち、前記ビットに対応するサブフレームで前記第１形式のＰＤＣＣＨをモニタリングするか、または前記第２形式のＰＤＣＣＨをモニタリングするかを示す、ユーザ装置。
【請求項１４】
前記ビットマップは、上位階層シグナリングを通じて受信される、請求項１３に記載のユーザ装置。
【請求項１５】
前記第１形式のＰＤＣＣＨから得たＤＣＩは、前記ＵＥに専用制御情報を含む、請求項１３に記載のユーザ装置。
【請求項１６】
前記第１形式のＰＤＣＣＨは、向上したＰＤＣＣＨ（ｅＰＤＣＣＨ）であり、前記第２形式のＰＤＣＣＨは、既存のＰＤＣＣＨである、請求項１３に記載のユーザ装置。
【請求項１７】
前記第１形式のＰＤＣＣＨは、前記サブフレームで動作帯域幅のサブセットと前記サブフレームの開始からあらかじめ定められた数のシンボル後に始まる前記サブフレームのすべてのシンボルとを通じて伝送され、前記第２形式のＰＤＣＣＨは、前記サブフレームで前記動作帯域幅と前記サブフレームの開始から始まる前記サブフレームの前記あらかじめ決められた数のシンボルとを通じて伝送される、請求項１３に記載のユーザ装置。
【請求項１８】
前記制御部は、前記ビットマップによって指示される一つ以上のサブフレームで前記第１形式のＰＤＣＣＨをモニタリングし、前記ビットマップによって指示されていない残りのサブフレームで前記第２形式のＰＤＣＣＨをモニタリングするようにさらに構成された、請求項１３に記載のユーザ装置。
【請求項１９】
無線通信のための基地局において、
ユーザ装置（ＵＥ：ｕｓｅｒ  ｅｑｕｉｐｍｅｎｔ）に信号を伝送し、前記ＵＥから信号を受信する送受信部と、
前記送受信部が複数のサブフレームに関するビットマップを伝送し、前記ビットマップに基づいて物理的下向きリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）上に下向きリンク制御情報（ＤＣＩ：ｄｏｗｎｌｉｎｋ  ｃｏｎｔｒｏｌ  ｉｎｆｏｒｍａｔｉｏｎ）を伝送することを制御するように構成された制御部と、を含み、
前記ＵＥは、前記ビットマップに基づいて第１形式のＰＤＣＣＨをモニタリングするか、または第２形式のＰＤＣＣＨをモニタリングするかを決定し、前記第１形式のＰＤＣＣＨ及び前記第２形式のＰＤＣＣＨは、ＵＥ専用検索空間に関連され、
前記ビットマップのビットは、前記ＵＥが前記複数のサブフレームのうち、前記ビットに対応するサブフレームで前記第１形式のＰＤＣＣＨをモニタリングするか、または前記第２形式のＰＤＣＣＨをモニタリングするかを示す、基地局。
【請求項２０】
前記ビットマップは、上位階層シグナリングを通じて伝送される、請求項１９に記載の基地局。
【請求項２１】
前記ＤＣＩは、前記第１形式のＰＤＣＣＨ上に伝送される前記ＵＥに専用制御情報を含む、請求項１９に記載の基地局。
【請求項２２】
前記第１形式のＰＤＣＣＨは、向上したＰＤＣＣＨ（ｅＰＤＣＣＨ）であり、前記第２形式のＰＤＣＣＨは、既存のＰＤＣＣＨである、請求項１９に記載の基地局。
【請求項２３】
前記第１形式のＰＤＣＣＨは、前記サブフレームで動作帯域幅のサブセットと前記サブフレームの開始からあらかじめ定められた数のシンボル後に始まる前記サブフレームのすべてのシンボルとを通じて伝送され、前記第２形式のＰＤＣＣＨは、前記サブフレームで前記動作帯域幅と前記サブフレームの開始から始まる前記サブフレームの前記あらかじめ決められた数のシンボルとを通じて伝送される、請求項１９に記載の基地局。
【請求項２４】
前記第１形式のＰＤＣＣＨは、前記ビットマップによって指示される一つ以上のサブフレームで前記ＵＥによってモニタリングされ、前記第２形式のＰＤＣＣＨは、前記ビットマップによって指示されていない残りのサブフレームで前記ＵＥによってモニタリングされる、請求項１９に記載の基地局。